(57)【特許請求の範囲】
【請求項１】
下部に台座部が前面側に突出して設けられ、この台座部により起立した状態で載置面上に載置される縦型の装置本体と、
前記台座部により起立した状態の前記装置本体における前記台座部よりも上側に位置する前面に対応する大きさの表示部と、
この表示部の表示面が前記装置本体の前面に対向して前記表示部の裏面が前方を向いた前記表示部の収納状態から、前記表示部が前記装置本体の前面側下方に移動して前記載置面上で前記表示面が上方を向く第１操作状態へと前記表示部が回動移動し、かつこの第１操作状態から前記表示部が上方に移動するとともに前記表示部が表裏反転方向に回動し、前記装置本体の前面に前記表示部の裏面が対向して前記表示面が前方を向く第２操作状態へと前記表示部が回動移動するアーム支持機構と
を備えたことを特徴とする情報処理装置。
【請求項２】
前記アーム支持機構は、アーム部材を備え、このアーム部材の一端部が前記装置本体の前面側に突出した前記台座部に第１ヒンジ部材により上下方向に回動可能に連結され、前記アーム部材の他端部が前記表示部の裏面に対し第２ヒンジ部材により前記表示部の表裏反転方向に回動可能に連結された構成であることを特徴とする請求項１記載の情報処理装置。
【請求項３】
前記表示部をその表示面の面方向に回転可能に支持する回転支持手段を備えていることを特徴とする請求項１または２記載の情報処理装置。
【請求項４】
前記回転支持手段は、前記表示部の裏面に固定された第１支持部材と、前記アーム部材の前記第２ヒンジ部材に取り付けられて前記第２ヒンジ部材の回動中心を中心に回動移動する第２支持部材と、前記第１支持部材と前記第２支持部材とを前記表示面の面方向に回転可能に連結する連結部材とを備えた構成であることを特徴とする請求項３記載の情報処理装置。
【請求項５】
前記回転支持手段は、前記表示部が９０°回転するごとに、前記表示部を位置規制する回転規制部材を備えていることを特徴とする請求項３または４記載の情報処理装置。
【請求項６】
前記装置本体には、キーボードなどの外部部品を挿脱自在に収納する収納部が設けられていることを特徴とする請求項１〜５のいずれか記載の情報処理装置。
【請求項７】
前記表示部は、その表示面に透明なタッチ入力部が設けられていることを特徴とする請求項１〜６のいずれか記載の情報処理装置。
【発明の詳細な説明】
【０００１】
【発明の属する技術分野】
この発明は、ワードプロセッサやパーソナルコンピュータなどの情報処理装置に関する。
【０００２】
【従来の技術】
従来、情報処理装置においては、装置本体上に蓋ケースが回動可能に取り付けられ、装置本体の上面にキー入力部が設けられ、蓋ケースに表示部がその表示面をキー入力部に対向させた状態で設けられたラップトップ型やノート型のものが知られている。
この種の情報処理装置では、使用するときに、装置本体を机などの載置面上に載置し、この状態で装置本体上の蓋ケースを上方に回動させて開き、この蓋ケースを装置本体上に傾斜させて起立させると、蓋ケースの表示部が前面側を向き、装置本体のキー入力部が上方に露出するので、表示部を見ながらキー入力部で入力操作ができる。
【０００３】
【発明が解決しようとする課題】
しかしながら、このような情報処理装置では、装置本体の上面にキー入力部を設けているため、基本的に横置き型となり、このため机などの載置面上に載置すると、装置本体の平面積と同じ広さの載置面積が必要となり、使用するときにも、また使用しないときにも、装置本体によって机などの載置面上の作業スペースが狭くなるという問題がある。
なお、このような問題を解消するために、縦型の情報処理装置が開発されているが、この種の情報処理装置では、使用するときも使用しないときも、常に表示部の表示面が前面に露出しているため、表示面が汚れたり傷付いたりしやすいという問題がある。
【０００４】
この発明の課題は、使用時および収納時のいずれにおいても、ほぼ同じ大きさの縦型形状にすることができ、これにより横置き型に比べて載置面積を小さくでき、しかも収納時に表示部の表示面を保護できるようにすることである。
【０００５】
【課題を解決するための手段】
この発明は、下部に台座部が前面側に突出して設けられ、この台座部により起立した状態で載置面上に載置される縦型の装置本体と、
前記台座部により起立した状態の前記装置本体における前記台座部よりも上側に位置する前面に対応する大きさの表示部と、
この表示部の表示面が前記装置本体の前面に対向して前記表示部の裏面が前方を向いた前記表示部の収納状態から、前記表示部が前記装置本体の前面側下方に移動して前記載置面上で前記表示面が上方を向く第１操作状態へと前記表示部が回動移動し、かつこの第１操作状態から前記表示部が上方に移動するとともに前記表示部が表裏反転方向に回動し、前記装置本体の前面に前記表示部の裏面が対向して前記表示面が前方を向く第２操作状態へと前記表示部が回動移動するアーム支持機構と
を備えたことを特徴とする。
【０００６】
この発明によれば、装置本体の下部に設けられた台座部により装置本体が起立した状態で載置面上に載置されるので、従来の横置き型に比べて載置面積を小さくでき、また表示部の表示面が台座部よりも上側に位置する装置本体の前面に対向した状態で、表示部が収納状態となるので、収納時に装置全体をコンパクトにすることができるとともに、収納時に表示部の表示面が外部に露出しないため、表示面を確実に保護することができる。また、使用するときには、アーム支持機構により、表示部が装置本体の前面側下方に移動して載置面上で表示面が上方を向いた第１操作状態から、表示部が上方に移動するとともに表裏反転方向に回動し、装置本体の前面に表示部の裏面が対向して表示面が前方を向いた第２操作状態になることにより、使用時および収納時のいずれにおいても、ほぼ同じ大きさの縦型形状にすることができ、これにより横置き型に比べて載置面積を小さくすることができる。
【０００７】
この場合、請求項２に記載のごとく、前記アーム支持機構は、アーム部材を備え、このアーム部材の一端部が前記装置本体の前面側に突出した前記台座部に第１ヒンジ部材により上下方向に回動可能に連結され、前記アーム部材の他端部が前記表示部の裏面に対し第２ヒンジ部材により前記表示部の表裏反転方向に回動可能に連結された構成であるから、表示部の表示面が装置本体の前面に対向して表示部の裏面が前方を向いた表示部の収納状態を除き、これ以外の状態において、第２ヒンジ部材を中心に表示部を表裏反転方向に適宜回動させることにより、装置本体の前方に表示部を傾斜させて配置することができ、これにより表示部を見やすい傾斜角度に調整することができ、また第１ヒンジ部材を中心にアーム部材を上下方向に適宜回動させることにより、表示部を見やすい高さに調節することもでき、これにより表示形態の多様化を図ることができる。
【０００８】
また、請求項３に記載のごとく、前記表示部をその表示面の面方向に回転可能に支持する回転支持手段を備えていれば、この回転支持手段により表示部をその表示面の面方向に回転させて、表示部を横向き状態と縦向き状態とに切り換えることができ、これによっても表示形態の多様化を図ることができる。
この場合、請求項４に記載のごとく、前記回転支持手段は、前記表示部の裏面に固定された第１支持部材と、前記アーム部材の前記第２ヒンジ部材に取り付けられて前記第２部材の回動中心を中心に回動移動する第２支持部材と、前記第１支持部材と前記第２支持部材とを前記表示面の面方向に回転可能に連結する連結部材とを備えた構成であれば、少なくとも表示部の収納状態を除く、これ以外の状態において、表示部をその表示面の面方向に回転させて、表示部を横向きと縦向きとに切り換えることができる。
また、請求項５に記載のごとく、前記回転支持手段は、前記表示部が９０°回転するごとに、前記表示部を位置規制する回転規制部材を備えていることにより、表示部をその表示面方向に９０°回転させたときに、表示部を横向き状態と縦向き状態とに確実に位置規制して保持することができる。
【０００９】
また、請求項６に記載のごとく、前記装置本体にはキーボードなどの外部部品を挿脱自在に収納する収納部が設けられていることにより、表示部の収納状態において、キーボードなどの外部部品が汚れたり邪魔になったりすることがなく、装置全体のより一層のコンパクト化が図れる。
さらに、請求項７に記載のごとく、前記表示部はその表示面に透明なタッチ入力部が設けられていることにより、表示部の表示面が載置面上で上方を向いた第１操作状態、および表示部の表示面が前方を向いた状態において、表示部の透明なタッチ入力部により入力操作ができ、これにより入力形態の多様化をも図ることができる。特に、表示部の表示面が上方を向いた第１操作状態では、表示部を載置面上に載置させることができるので、表示部を安定させた状態で入力操作ができる。
【００１０】
【発明の実施の形態】
以下、図１〜図２３を参照して、この発明の情報処理装置の一実施形態について説明する。
図１は情報処理装置の使用状態を示した外観斜視図、図２はその情報処理装置の収納状態を示した前面側の外観斜視図、図３はその裏面側の外観斜視図である。
この情報処理装置は、パーソナルコンピュータなどであり、縦型の装置本体１と表示ケース２とを備え、これらがアーム支持機構３により連結された構成になっている。なお、この情報処理装置は、図１に示すように、第１キーボード４、手書き用の第２キーボード５、およびワイヤレス用の第３キーボード６を備えている。
【００１１】
装置本体１は、その下部に台座部７が前面側に突出して設けられ、この台座部７により起立した状態で、机などの載置面８上に載置されるように構成されている。この場合、台座部７は、その下部が装置本体１の前方に突出し、その上部が装置本体１の前面に位置するように、その前面が円弧状に湾曲して形成されている。また、この台座部７の前面における右側上面には、電源スイッチ９が設けられており、その左側上面には、アクセスキー１０ａや出力キー１０ｂなどが設けられている。さらに、台座部７の前面における中間部には、取付凹部１１が設けられている。
【００１２】
また、装置本体１には、図２に示すように、第１〜第３キーボード４〜６のうち、手書き用の第２キーボード５を挿脱自在に収納する第１収納部１２と、ワイヤレス用の第３キーボード６を挿脱自在に収納する第２収納部１３とがそれぞれ右側に開放されて設けられているほか、フロッピーディスク１４を着脱可能に装着するフロッピーディスクドライブ１５も右側に開放されて設けられている。この装置本体１の右側面には、第１、第２収納部１２、１３およびフロッピーディスクドライブ１５の各開放側を開閉自在に塞ぐ保護カバー１６が開閉自在に取り付けられている。なお、装置本体１の裏面には、図３に示すように、緩やかな湾曲状に突出した湾曲突出部１７が上部から下端部に亘って形成されている。また、台座部７の裏面側には、第１、第２キーボード４、５の接続ケーブルを収納するケーブル収納部（いずれも図示せず）のケーブル蓋１８が着脱可能に設けられている。
【００１３】
表示ケース２は、図１に示すように、ほぼ長方形状に形成されている。この表示ケース２の前面には表示用開口部２ａが設けられており、その内部には表示パネル２０が設けられている。この表示パネル２０は、液晶表示パネルなどの平面型ディスプレイであり、その表示面２０ａが表示ケース２の表示用開口部２ａから外部に露出し、この露出する表示面２０ａの前面に透明なタッチ入力シート（図示せず）が設けられ、これにより表示機能と入力機能とを兼ね備えた構成になっている。
また、この表示ケース２は、図２に示すように、表示パネル２０の表示面２０ａを装置本体１の前面に対向させた状態で、台座部７よりも上側に位置する装置本体１の前面に対応する大きさに形成されている。
【００１４】
アーム支持機構３は、図４に示すように、中空でほぼ平板形状のアーム部材２１を備え、このアーム部材２１の一端部（同図では下端部）が台座部７の前面に設けられた取付凹部１１内に配置され、この状態で第１ヒンジ部材２２により上下方向に回動可能に連結されているとともに、アーム部材２１の他端部（同図では上端部）に表示ケース２の裏面が後述する第２ヒンジ部材２４および回転支持部材２３により表示ケース２の表裏反転方向および表示面２０ａの面方向にそれぞれ回動可能に連結された構成になっている。この場合、アーム部材２１は、図２および図４に示すように、その上端部にほぼＶ字状の切欠部２１ａが設けられており、この切欠部２１ａ内には、回転支持部材２３の後述する一部が収納可能に配置される。
【００１５】
以下、アーム支持機構３の第１、第２ヒンジ部材２２、２４および回転支持部材２３について、図４〜図１５を参照して詳細に説明する。
第１ヒンジ部材２２は、図４および図５に示すように、アーム部材２１の下端内部における右側およびこれに隣接する右側の台座部７内に亘って設けられた右ヒンジ部２５と、アーム部材２１の下端内部における左側およびこれに隣接する左側の台座部７内に亘って設けられた左ヒンジ部２６と、この左ヒンジ部２６の回動を制動するダンパ部材２７とから構成されている。
この場合、右ヒンジ部２５は、図５に示すように、台座部７の右側内部に取り付けられる取付板２８と、この取付板２８に回転自在に取り付けられたヒンジ軸２９と、このヒンジ軸２９に巻き付けられた第１コイルばね３０ａとを備えている。また、左ヒンジ部２６は、右ヒンジ部２５とほぼ同様、台座部７の左側内部に取り付けられる取付板２８と、この取付板２８に回転自在に取り付けられたヒンジ軸２９と、このヒンジ軸２９に巻き付けられた第２コイルばね３０ｂとを備えている。
【００１６】
取付板２８は、図５に示すように、剛性の高い金属板の両端部を折り曲げてコ字状に形成され、その中間部が図６に示すように台座部７の取付凹部１１の両側に位置する台座部７の内部にそれぞれ取り付けられている。
ヒンジ軸２９は、図５に示すように、取付板２８の折り曲げられた両端部に回転自在に取り付けられ、図４に示すように、その各一端部側が台座部７の取付凹部１１内にそれぞれ突出し、この突出した部分が平板状に形成され、この平板部がアーム部材２１の下端内部の両側にビス３１により取り付けられている。これにより、アーム部材２１は、図４および図６に示すように、ヒンジ軸２９を中心に上下方向に回動するように構成されている。なお、ヒンジ軸２９は、左右のヒンジ部２５、２６ごとにそれぞれ別々に構成されているが、１本の軸で構成し、その中間部をアーム部材２１に固定し、その両端部をそれぞれ左右の取付板２８に回転自在に取り付けた構成でも良い。
【００１７】
第１、第２コイルばね３０ａ、３０ｂのうち、右ヒンジ部２５の第１コイルばね３０ａは、図５に示すように、取付板２８の両側部間に位置するヒンジ軸２９に巻き付けられ、その一端部がヒンジ軸２９に取り付けられ、他端部が取付板２８に取り付けられている。これにより、第１コイルばね３０ａは、図５および図６に示すように、アーム部材２１の上端部側に取り付けられた表示ケース２が装置本体１の前面側下方に移動して、アーム部材２１が下方に向けて回動するときに、その回動に伴って回転するヒンジ軸２９の回転に応じて捩じられ、これによりばね力を蓄積し、また逆に、表示ケース２が装置本体１の前面側上方に移動して、アーム部材２１が上方に向けて回動するときに、その回動に伴って回転するヒンジ軸２９に対し蓄積したばね力を付与し、これによりアーム部材２１を復帰させる方向に付勢するように構成されている。
【００１８】
また、左ヒンジ部２６の第２コイルばね３０ｂは、図５に示すように、取付板２８の両側部間に位置するヒンジ軸２９にほぼ一定の摩擦力をもってスリップ回転可能に巻き付けられている。すなわち、この第２コイルばね３０ｂは、その一端部がヒンジ軸２９に取り付けられ、他端部が自由状態、もしくは取付板２８に取り付けられ、これによりヒンジ軸２９に対して常にほぼ一定の摩擦力を付与するように構成されている。従って、第２コイルばね３０ｂは、図５および図６に示すように、アーム部材２１の上端部側に取り付けられた表示ケース２が装置本体１の前面側において上下方向に移動して、アーム部材２１が上下方向に回動し、これに伴ってヒンジ軸２９が回動するときに、ほぼ一定の摩擦力をもってヒンジ軸２９の外周面をスリップ回転する。この場合、第２コイルばね３０ｂの摩擦力は、アーム部材２１が上下方向に向けて回動しても、表示ケース２が取り付けられたアーム部材２１を任意の回動位置に停止させる程度の摩擦力に設定されており、かつ第１コイルばね３０ａに蓄積されるばね力よりも大きく設定されている。
【００１９】
ダンパ部材２７は、図５に示すように、左ヒンジ部２６の左側に位置し、この状態で図７に示すように台座部７内に取り付けられている。このダンパ部材２７は、図５に示すように、ダンパ軸３２を備え、このダンパ軸３２の右端部にダンパ歯車３３が取り付けられ、このダンパ歯車３３が左ヒンジ部２６のヒンジ軸２９の左端部に取り付けられたヒンジ歯車３４に噛み合い、これによりダンパ軸３２が左ヒンジ部２６のヒンジ軸２９と連動するように構成されている。すなわち、このダンパ部材２７は、アーム部材２１の上端部に取り付けられた表示ケース２の重量を補助的に打ち消すためのものであり、アーム部材２１が下方に向けて回動するとき、つまりダンパ軸３２が図５において矢印で示す時計回りに回動するときに、ダンパ軸３２に制動力を付与してヒンジ軸２９の回動を補助的に制動し、また逆に、アーム部材２１が上方に向けて回動するとき、つまりダンパ軸３２が同図において矢印と反対の反時計回りに回動するときには、ダンパ軸３２に制動力をほとんど付与せず、ダンパ軸３２が滑らかに回転するように構成されている。なお、このダンパ部材２７の制動力は、第２コイルばね３０ｂの摩擦力よりも小さく設定されている。
【００２０】
一方、第２ヒンジ部材２４は、図４および図８に示すように、回動軸３５と、この回動軸３５の両端部をそれぞれ回動可能に支持する一対の固定板３６と、回動軸３５の中間部に固定された連結補強板３７とから構成されている。回動軸３５は、図４に示すように、アーム部材２１の上端内部に配置され、その中間部がアーム部材２１の切欠部２１ａ内に位置した状態で、両端部がアーム部材２１の上端内部の両側に挿入されている。一対の固定板３６は、図８に示すように、回動軸３５の両端部にビスなどの締結部材３８により回転可能に取り付けられ、この状態で図４に示すようにアーム部材２１の上端内部の両側に取り付けられている。この場合、締結部材３８は、その締結力に応じて固定板３６と回動軸３５との相対的な回動に対して所定の負荷を付与し、これにより両者が勝手に回動しないように、一対の固定板３６に回動軸３５の両端部を回動可能な状態で連結するように構成されている。連結補強板３７は、図８に示すように、回動軸３５の中間部に固定され、図４に示すようにアーム部材２１の切欠部２１ａ内に収納可能に配置され、この状態で図９〜図１１に示すように回動軸３５を中心にその回動軸３５と共に回動し、これにより回転支持部材２３を表示ケース２と共に回動移動させるように構成されている。
【００２１】
また、回転支持部材２３は、図４、図９〜図１５に示すように、表示ケース２の裏面に固定された第１支持板４０と、第２ヒンジ部材２４の連結補強板３７に取り付けられた２支持板４１と、第１支持板４０と第２支持板４１とを表示ケース２の表示パネル２０の面方向に回転可能に連結する連結部材４２と、表示ケース２が９０°回転するごとに表示ケース２を位置規制する回転規制部材４３とを備え、図４に示すように、第２支持板４１、連結部材４２、および回転規制部材４３が第２ヒンジ部材２４の連結補強板３７と共にＶ字状のカバーケース４４で覆われてアーム部材２１の切欠部２１ａ内に収納可能に配置されるように構成されている。
【００２２】
第１支持板４０は、図４に示すように、ほぼ「エ」字状に形成された金属板からなり、表示ケース２の裏面側内面に固定されている。第２支持板４１は、アーム部材２１の切欠部２１ａ内に配置される大きさで、ほぼ円板状に形成され、その中心部に回転孔（図示せず）が形成され、図１３に示すように、第２ヒンジ部材２４の連結補強板３７にビス４５により固定され、これにより第２ヒンジ部材２４の回動軸３５を中心にその回動軸３５および連結補強板３７と共に回動移動するように構成されている。連結部材４２は、丸棒状の外周面に平坦面を対向させて形成した非円形状の軸部材であり、図９〜図１１に示すように、その一端部が第１支持板４０に固定され、この状態でワッシャ４６を介して第２支持板４１の回転孔に挿入され、その他端部に回転規制部材４３の板ばね４７を介して押え板４８が取り付けられ、この押え板４８により第２支持板４１に所定の負荷を付与した状態で、第２支持板４１のみが連結部材４２に対して回転するように構成されている。
【００２３】
回転規制部材４３は、図１３〜図１５に示すように、押え板４８により第２支持板４１に押え付けられて連結部材４２に取り付けられた板ばね４７と、この板ばね４７に対向する第２支持板４１の対向面に連結部材４２の中心から９０°の開き角度をもって設けられた２つの突起部４９とからなり、第１支持板４０と第２支持板４１とが相対的に９０°回転するごとに、板ばね４７がいずれか一方の突起部４９に乗り上げて、第１支持板４０と第２支持板４１との相対的な回転力を重くすることにより、第１支持板４０と第２支持板４１との相対的な回転位置を規制するように構成されている。
【００２４】
ところで、このような回転支持部材２３は、図１２に示すように、連結部材４２により第１支持板４０、第２支持板４１、および回転規制部材４３を組み付けた状態で、第１支持板４０を表示ケース２の裏面内側に取り付け、これにより表示ケース２の裏面に設けられた円形孔５０から第２支持板４１を露出させ、この露出した第２支持板４１を第２ヒンジ部材２４の連結補強板３７に取り付け、この状態で第２支持板４１、連結部材４２、および回転規制部材４３を第２ヒンジ部材２４の連結補強板３７と共にＶ字状のカバーケース４４で覆い、このカバーケース４４を第２支持板４１に取り付けている。これにより、表示ケース２は、アーム部材２１の第２ヒンジ部材２４の回動軸３５を中心に表示ケース２の表裏反転方向に回動するとともに、回転支持部材２３の連結部材４２を中心にカバーケース４４に対して表示面２０ａの面方向に回転するように構成されている。
【００２５】
この場合、表示ケース２の裏面に設けられた円形孔５０は、その中心が表示ケース２の裏面の中心から上方に少し離れた位置に形成されている。これに応じて第１支持板４０も、表示ケース２の裏面内側にその中心よりも少し上方に位置して取り付けられており、これに伴って連結部材４２の中心も、表示ケース２の裏面の中心から上方に少し離れた位置に位置している。これにより、表示パネル２０の表示面２０ａが装置本体１の前面に対向した図２に示す収納状態では、装置本体１の前面に表示ケース２が対応し、また表示ケース２の裏面が装置本体１の前面に対向して表示パネル２０の表示面２０ａが前方を向いた図１に示す使用状態では、表示ケース２が装置本体１の前面において少し高い位置にずれて配置される。
【００２６】
次に、このような情報処理装置の作用について説明する。
この情報処理装置は、図１〜図３に示すように、装置本体１の下部に設けられた台座部７により装置本体１が机などの載置面８上に起立した状態で縦型に載置される。このため、この情報処理装置では、従来の横置き型の場合に比べて、載置面積を小さくすることができる。
この状態で情報処理装置を使用しないときには、図２および図１６に示すように、表示ケース２内の表示パネル２０の表示面２０ａを台座部７よりも上側に位置する装置本体１の前面に対向させ、表示ケース２の裏面を前方に向けた状態で、表示ケース２を装置本体１の前面に密着させて対応させることにより、表示ケース２およびアーム部材２１が台座部７から前方に突出せずに、表示ケース２が収納状態となる。このため、装置全体をコンパクトにすることができるとともに、載置面８上の作業スペースを十分に確保することができる。
【００２７】
また、この状態では、表示パネル２０の表示面２０ａが装置本体１の前面に対向して、表示パネル２０が外部に露出することがないため、表示パネル２０の表示面２０ａが汚れたり傷付いたりせず、良好に表示パネル２０を保護することができる。
さらに、このような情報処理装置では、図２に示すように、装置本体１に設けられた第１、第２収納部１２、１３に第２、第３キーボード５、６を挿脱可能に収納することができるので、これによっても装置全体のコンパクト化を図ることができるほか、特に、使用しないときに第２、第３キーボード５、６が埃などで汚れたり、邪魔になったりしないため、第２、第３キーボード５、６の使い勝手が良い。
【００２８】
一方、この情報処理装置を使用する場合には、まず、図１６に示すように、表示ケース２内の表示パネル２０の表示面２０ａが装置本体１の前面に対向した収納状態から、図１７に示すように、表示ケース２を装置本体１の前面側下方に移動させて載置面８上で表示パネル２０の表示面２０ａが上方を向く第１操作状態へと表示ケース２を回動移動させる。このときには、図４に示すように、アーム部材２１が第１ヒンジ部材２２の左右のヒンジ軸２９を中心に同図に矢印で示す下方に向けて回動し、これに伴って左右の各ヒンジ軸２９も回動する。すると、図５に示すように、右ヒンジ部２５のヒンジ軸２９の回動に応じて第１コイルばね３０ａが捩じられ、左ヒンジ部２６のヒンジ軸２９の回動に応じて、第２コイルばね３０ｂが相対的にスリップ回転するとともに、ダンパ部材２７のダンパ軸３２が回転する。
【００２９】
このように、右ヒンジ部２５の第１コイルばね３０ａが捩じられると、第１コイルばね３０ａにばね力が蓄積される。また、左ヒンジ部２６の第２コイルばね３０ｂはヒンジ軸２９の回動に応じて相対的にスリップ回転するが、ヒンジ軸２９に対してほぼ一定の摩擦力を付与してヒンジ軸２９の回動を制動するため、このヒンジ軸２９を介してアーム部材２１の回動が制動される。このため、第１、第２コイルばね３０ａ、３０ｂによって、アーム部材２１の下方への回動が妨げられるので、アーム部材２１を下方に回動させるための動作力が重くなり、アーム部材２１が急激に下方に向けて回動することがなく、アーム部材２１を任意の回動位置に停止させることが可能になる。
【００３０】
このときには、ダンパ部材２７がダンパ軸３２を制動するので、このダンパ軸３２に連動する左ヒンジ部２６のヒンジ軸２９の回動が補助的に制動される。このため、このダンパ部材２７によってもアーム部材２１の下方への回動が妨げられることになり、アーム部材２１を下方に回動させるための動作力が更に重くなる。このため、表示ケース２を下方に向けて移動させる際には、表示ケース２を押し下げることのできる動作力に応じてアーム部材２１を回動させることができ、これによりアーム部材２１の回動動作を安定させることができ、しかも表示ケース２の重量がアーム部材２１に加わり、アーム部材２１側の全重量が重くても、アーム部材２１を確実に任意の回動位置に停止させることができる。
【００３１】
この後、図１７に示すように、表示パネル２０の表示面２０ａが上方を向いた第１操作状態から、表示ケース２を上方に移動させるとともに、表示ケース２を第２ヒンジ部材２４の回動軸３５を中心に表裏反転方向に回動させ、図１８に示すように、装置本体１の前面に表示ケース２の裏面を対向させて、表示パネル２０の表示面２０ａを前方に向けた第２操作状態へと表示ケース２を回動移動させる。このときには、まず、第１ヒンジ部材２２を中心にアーム部材２１を上方に回動させて表示ケース２を上方に移動させる。すなわち、第１ヒンジ部材２２の左ヒンジ部２６の第２コイルばね３０ｂによる摩擦力に抗してアーム部材２１を上方に向けて回動させると、ダンパ部材２７はダンパ軸３２に制動力を付与しないため、ダンパ軸３２がヒンジ軸２９に連動して回動するが、右ヒンジ部２５の第１コイルばね３０ａが蓄積したばね力によりアーム部材２１を上方に向けて回動させるように付勢するので、軽い力でアーム部材２１を上方に回動させて表示ケース２を上方に移動させることができる。なお、このときにも、アーム部材２１を任意の位置に停止させることができる。
【００３２】
このように、アーム部材２１を上方に回動させ、表示ケース２を表裏反転させるときには、図９〜図１１に示すように、第２ヒンジ部材２４の回動軸３５を中心に連結補強板３７および回転支持部材２３と共に表示ケース２を１８０°回動させることにより、表示ケース２を表裏反転させることができる。このときには、第２ヒンジ部材２４の回動軸３５が一対の固定板３６に締結部材３８により所定の負荷をもって回動可能に締結されているので、回動軸３５を中心に表示ケース２側を回動させても、任意の回動位置に停止させることができる。
これにより、図１８に示すように、装置本体１の前面に表示ケース２の裏面が対向し、表示パネル２０の表示面２０ａが前方を向いた第２操作状態になる。
【００３３】
この状態では、表示回転支持部材２３の連結部材４２の中心が表示ケース２の裏面の中心から上方に少し離れているので、表示ケース２が図１６に示す収納状態のときよりも、図１８に示すように少し高い位置に配置される。しかし、この状態では、図１６に示す収納状態とほぼ同じ大きさの縦型形状になるため、従来のような横置き型の場合に比べて載置面積を小さくすることができ、これによっても載置面８上の作業スペースを十分に確保することができる。
また、この状態では、図１に示すように、装置本体１の手前側に第１キーボード５を配置するとともに、装置本体１の第１収納部１２から手書き用の第２キーボード６を取り出し、第２収納部１３からワイヤレス用の第３キーボード７を取り出し、これら第２、第３キーボード６、７を第１キーボード５と共に装置本体１の手前側に配置することにより、第１〜第３キーボード５〜７を適宜選択して情報を入力することができる。
【００３４】
また、この情報処理装置では、アーム支持機構３のアーム部材２１の一端部が台座部７の取付凹部１１内に第１ヒンジ部材２２により上下方向に回動可能に取り付けられ、アーム部材２１の他端部に表示ケース２が第２ヒンジ部材２４により表裏反転方向に回動可能に取り付けられているので、表示ケース２が装置本体１の前面に対応した図１６に示す収納状態を除く状態、例えば、載置面８上で表示パネル２０の表示面２０ａが上方を向いた図１７に示す第１操作状態、あるいは表示ケース２が表裏反転して表示パネル２０の表示面２０ａが前方を向いた図１８に示す第２操作状態において、第１ヒンジ部材２２を中心にアーム部材２１を上下方向に適宜回動させるとともに、第２ヒンジ部材２４を中心に表示ケース２を表裏反転方向に所定角度だけ回動させることにより、図１９に示すように、装置本体１の前方に表示ケース２を傾斜させて配置することができ、これにより表示パネル２０を見やすい傾斜角度に調整することができる。このときには、第１ヒンジ部材２２を中心にアーム部材２１を上下方向に所定角度だけ回動させることにより、表示パネル２０が見やすい高さになるように、表示ケース２の高さをも調整することができる。特に、表示ケース２の下端部を載置面８に当接させれば、表示ケース２および装置本体１を安定させた状態で、表示パネル２０を適宜傾けることができる。
【００３５】
この場合、表示パネル２０の表示面２０ａに透明なタッチ入力シート（図示せず）が設けられていることにより、表示パネル２０の表示面２０ａが装置本体１の前面に対向した図１６に示す収納状態を除く状態、例えば、図１７に示すように表示パネル２０の表示面２０ａが載置面８上で上方を向いた第１操作状態、あるいは図１８に示すように表示パネル２０の表示面２０ａが前方を向いた第２操作状態、もしくは図１９に示すように表示ケース２が装置本体１の前方に傾斜して配置された状態において、表示パネル２０のタッチ入力シートから入力ペンなどで情報を入力することができ、これにより入力形態の多様化が図れる。特に、図１７に示すように表示パネル２０の表示面２０ａが上方を向いた第１操作状態では、表示ケース２の手前側の端部を載置面８上に当接させて表示ケース２を少し傾けた状態にすることにより、入力ペンなどによる入力操作が良好にでき、しかも表示ケース２の裏面のほぼ中央部がアーム部材２１により支持され、かつ表示ケース２の手前側の端部が載置面８上に当接していることにより、表示ケース２を安定させた状態で保持することができ、これにより、より一層、良好に入力操作ができる。
【００３６】
さらに、この情報処理装置では、図１８に示すように、表示ケース２の裏面が装置本体１の前面に対向し、表示パネル２０の表示面２０ａが横向き状態で前方を向いた第２操作状態から、図２０に示すように、表示ケース２をその表示パネル２０の面方向に９０°回転させることにより、図２１に示すように、表示ケース２を縦向き状態に切り換えることができる。このときには、図１３〜図１５に示すように、回転支持部材２３の連結部材４２を中心に表示ケース２に取り付けられた第１支持板４０が第２ヒンジ部材２４の連結補強板３７に取り付けられた第２支持板４１に対して相対的に回転する。この場合には、第２支持板４１が押え板４８により第１支持板４０に押え付けられているので、表示ケース２に所定の負荷が付与され、これにより任意の回転位置に表示ケース２を保持することができる。
【００３７】
このように表示ケース２が表示パネル２０の面方向に回転するときには、回転支持部材２３の連結部材４２の中心が表示ケース２の裏面の中心から上方に少し離れているとともに、装置本体１の下部の台座部７に取付凹部１１が設けられていることにより、表示ケース２の下端部が台座部７に接触することがなく、表示ケース２を確実かつ良好に回転させることができる。
そして、表示ケース２が９０°回転すると、回転規制部材４３の板ばね４７が第２支持板４１に設けられた一方の突起部４９から他方の突起部４９に当接して乗り上げるので、第１支持板４０の回転が規制され、これにより表示ケース２を９０°回転させた縦向き状態で確実に保持することができる。
このような表示ケース２の面方向への回転は、図１７に示すように、表示ケース２を装置本体１の前面側下方に移動させて載置面８上で表示パネル２０の表示面２０ａが横向きで上方を向いた第１操作状態においても、表示ケース２をその表示パネル２０の面方向に９０°回転させることにより、上記と同様、表示ケース２の端部が台座部７に接触することなく、図２２に示すように、表示ケース２を縦向き状態に切り換えることができ、これにより表示形態の多様化を図ることができる。
【００３８】
さらに、この情報処理装置では、表示ケース２が装置本体１の前面に対応した図１６に示す収納状態を除く状態、例えば、図２２に示すように載置面８上で表示パネル２０の表示面２０ａが縦向きで上方を向いた第１操作状態、あるいは図２１に示すように表示ケース２が表裏反転して表示パネル２０の表示面２０ａが縦向きで前方を向いた第２操作状態のいずれにおいても、第１ヒンジ部材２２を中心にアーム部材２１を上下方向に適宜回動させるとともに、第２ヒンジ部材２４を中心に表示ケース２を表裏反転方向に所定角度だけ回動させることにより、図２３に示すように、装置本体１の前方に表示ケース２を縦向き状態で傾斜させて配置することができ、これにより表示パネル２０を見やすい傾斜角度に調整することができる。このときにも、第１ヒンジ部材２２を中心にアーム部材２１を上下方向に所定角度だけ回動させることにより、表示パネル２０が見やすい高さになるように、表示ケース２の高さをも調整することができる。この場合にも、表示ケース２の下端部を載置面８に当接させれば、表示ケース２および装置本体１を安定させた状態で、表示パネル２０を適宜傾けることができる。
【００３９】
このように、表示ケース２が縦向きの状態の場合にも、表示パネル２０の表示面２０ａに透明なタッチ入力シート（図示せず）が設けられていることにより、表示パネル２０の表示面２０ａが装置本体１の前面に対向した図１６に示す収納状態を除く状態、例えば、図２２に示すように表示パネル２０の表示面２０ａが載置面８上で縦向きで上を向いた第１操作状態、あるいは図２１に示すように表示パネル２０の表示面２０ａが縦向きで前面を向いた第２操作状態、もしくは図２３に示すように表示ケース２が装置本体１の前方に縦向きで傾斜して配置された状態のいずれにおいても、表示パネル２０のタッチ入力シートにより情報を入力することができる。この場合にも、表示パネル２０の表示面２０ａが縦向きで上方を向いた図２２に示す第１操作状態では、表示ケース２の手前側の端部を載置面８上に当接させることにより、上述した図１７に示した横向き状態と同様、表示ケース２を安定させた状態で保持することができ、より一層、良好に入力操作ができる。
【００４０】
【発明の効果】
以上説明したように、この発明によれば、装置本体の下部に設けられた台座部により装置本体が起立した状態で載置面上に載置されるので、従来の横置き型に比べて載置面積を小さくでき、また表示部の表示面が台座部よりも上側に位置する装置本体の前面に対向した状態で、表示部が収納状態となるので、収納時に装置全体をコンパクトにすることができるとともに、収納時に表示部の表示面が外部に露出しないため、表示面を確実に保護することができる。また、使用する際には、アーム支持機構により、表示部が装置本体の前面側下方に移動して載置面上で表示面が上方を向いた第１操作状態から、表示部が上方に移動するとともに表裏反転方向に回動し、装置本体の前面に表示部の裏面が対向して表示面が前方を向いた第２操作状態になるので、使用時および収納時のいずれにおいても、ほぼ同じ大きさの縦型形状にすることができ、これにより横置き型に比べて載置面積を小さくすることができ、載置面上の作業スペースを十分に確保することができる。
【００４１】
この場合、アーム支持機構が、アーム部材を備え、このアーム部材の一端部が装置本体の前面側に突出した台座部に第１ヒンジ部材により上下方向に回動可能に連結され、アーム部材の他端部が表示部の裏面に対し第２ヒンジ部材により表示部の表裏反転方向に回動可能に連結されているから、表示部の表示面が装置本体の前面に対向して表示部の裏面が前方を向いた表示部の収納状態を除き、これ以外の状態において、第２ヒンジ部材を中心に表示部を表裏反転方向に適宜回動させることにより、装置本体の前方に表示部を傾斜させて配置することができ、これにより表示部を見やすい傾斜角度に調整することができ、また第１ヒンジ部材を中心にアーム部材を上下方向に適宜回動させることにより、表示部を見やすい高さに調節することもでき、これにより表示形態の多様化を図ることができる。
【００４２】
また、表示部をその表示面の面方向に回転可能に支持する回転支持手段を備えていることにより、表示部をその表示面の面方向に回転させて、表示部を横向き状態と縦向き状態とに切り換えることができ、これによっても表示形態の多様化を図ることができる。特に、回転支持手段が、表示部の裏面に固定された第１支持部材と、アーム部材の第２ヒンジ部材に取り付けられて第２部材の回動中心を中心に回動移動する第２支持部材と、第１支持部材と第２支持部材とを表示面の面方向に回転可能に連結する連結部材とを備えた構成であることにより、少なくとも表示部の収納状態を除く、これ以外の状態において、表示部をその表示面の面方向に回転させて、表示部を横向きと縦向きとに切り換えることができる。また、回転支持手段が、表示部を９０°回転させるごとに、表示部を位置規制する回転規制部材を備えていることにより、表示部を横向き状態と縦向き状態とに確実に位置規制して保持することができる。
【００４３】
さらに、装置本体にキーボードなどの外部部品を挿脱自在に収納する収納部が設けられていることにより、表示部の収納状態において、キーボードなどの外部部品が汚れたり邪魔になったりせず、装置全体のより一層のコンパクト化を図ることができる。
また、表示部の表示面に透明なタッチ入力部が設けられていることにより、表示部の表示面が載置面上で上方を向いた第１操作状態、および表示部の表示面が前方を向いた状態において、表示部の透明なタッチ入力部により入力操作ができ、これにより入力形態の多様化をも図ることができる。特に、表示部の表示面が上方を向いた第１操作状態では、表示部を載置面上に載置させることができるので、表示部を安定させた状態で入力操作ができる。
【図面の簡単な説明】
【図１】この発明の情報処理装置の一実施形態における使用状態を示した外観斜視図。
【図２】図１の情報処理装置の使用しない収納状態を示した前面側の一部分解した外観斜視図。
【図３】図２の裏面側の外観斜視図。
【図４】図２においてアーム部材の一部を取り除いてアーム支持機構を露出させた状態の斜視図。
【図５】図４の第１ヒンジ部材を示した斜視図。
【図６】図５の右ヒンジ部を概略的に示した図４の右側面図。
【図７】図５の左ヒンジ部およびダンパ部材を概略的に示した図４の左側面図。
【図８】図４の第２ヒンジ部材を示した斜視図。
【図９】図４の第２ヒンジ部材と回転支持手段を示した右側面図。
【図１０】図９の状態で第２ヒンジ部材を中心に回転支持手段を反時計回りに９０°回動させた状態の右側面図。
【図１１】図９の状態で第２ヒンジ部材を中心に回転支持手段を反時計回りに１８０°回動させて表示ケースを表裏反転させた状態の右側面図。
【図１２】図４の表示ケースの裏面および回転支持手段を示した分解斜視図。
【図１３】図４の第２ヒンジ部材と回転支持手段を示した拡大正面図。
【図１４】図１３の状態で第１支持部材を第２支持部材に対して相対的に反時計回りに所定角度回転させた状態を示した拡大正面図。
【図１５】図１３の状態で第１支持部材を第２支持部材に対して相対的に反時計回りに９０°回転させた状態を示した拡大正面図。
【図１６】図２において各キーボードを装置本体内に収納し、表示ケースを装置本体の前面に対応させた使用しない収納状態を示した外観斜視図。
【図１７】図１６に示す表示ケースの収納状態から表示ケースを装置本体の前面下方に移動させた第１操作状態を示した外観斜視図。
【図１８】図１７に示された第１操作状態から表示ケースを上方に移動させながら表裏反転させて表示ケースの裏面を装置本体の前面に対向させて表示パネルの表示面を前面に向けた第２操作状態を示した外観斜視図。
【図１９】図１７に示された第１操作状態と図１８に示された第２操作状態との間の状態で、表示ケースを傾けた状態を示した外観斜視図。
【図２０】図１８に示された表示ケースの横向きの状態で表示ケースを表示面方向に回転させた途中の状態を示した外観斜視図。
【図２１】図１８の状態で表示ケースが９０°回転した縦向き状態を示した外観斜視図。
【図２２】図１７に示された横向きの第１操作状態で表示ケースが９０°回転した縦向きの第１操作状態を示した外観斜視図。
【図２３】図２２に示された縦向きの第１操作状態と図２１に示された縦向きの第２操作状態との間の状態で、表示ケースを縦向きに傾けた状態を示した外観斜視図。
【符号の説明】
１  装置本体
２  表示ケース
３  アーム支持機構
４〜６  第１〜第３キーボード
７  台座部
８  載置面
１２、１３  第１、第２収納部
１４  フロッピーディスク
１５  フロッピーディスクドライブ
２０  表示パネル
２０ａ  表示面
２１  アーム部材
２２  第１ヒンジ部材
２３  回転支持部材
２４  第２ヒンジ部材
４０  第１支持板
４１  第２支持板
４２  連結部材
４３  回転規制部材
【図１】
0003661504.tif 000002
【図２】
0003661504.tif 000003
【図３】
0003661504.tif 000004
【図４】
0003661504.tif 000005
【図５】
0003661504.tif 000006
【図６】
0003661504.tif 000007
【図７】
0003661504.tif 000008
【図８】
0003661504.tif 000009
【図９】
0003661504.tif 000010
【図１０】
0003661504.tif 000011
【図１１】
0003661504.tif 000012
【図１２】
0003661504.tif 000013
【図１３】
0003661504.tif 000014
【図１４】
0003661504.tif 000015
【図１５】
0003661504.tif 000016
【図１６】
0003661504.tif 000017
【図１７】
0003661504.tif 000018
【図１８】
0003661504.tif 000019
【図１９】
0003661504.tif 000020
【図２０】
0003661504.tif 000021
【図２１】
0003661504.tif 000022
【図２２】
0003661504.tif 000023
【図２３】
0003661504.tif 000024